(57)【特許請求の範囲】
【請求項１】
躯体上に断熱材を敷き並べ、一定方向に傾斜した被防水施工面を形成する工程と、被防水施工面の所要箇所に防水シート用接合板を配置し、軸部外周における頭部外縁から躯体へのねじ込み深さに相当する長さの位置に、目印線を設けた断熱防水施工用固定具を、前記防水シート用接合板および断熱材を貫通して、軸部の先端を躯体面に突き当てる工程と、前記目印線が断熱材面より上方にあることを視認した後、前記断熱防水施工用固定具を躯体にねじ込んで、前記防水シート用接合板を断熱材に押し止める工程と、被防水施工面に防水シートを敷設して、防水シートと前記防水シート用接合板との当接部を、溶剤溶着または熱融着により接合する工程と、を備えていることを特徴とする断熱防水施工方法。
【発明の詳細な説明】
【技術分野】
【０００１】
この発明は、建物屋根やベランダなどにおける、コンクリートや金属板などからなる躯体上に断熱材が配置されて、一定方向に傾斜した面が形成された被防水施工面に対して使用される断熱防水施工用固定具およびその施工方法に関する。さらに詳しくは、施工の際に選定間違いを減らすことができる断熱防水施工用固定具およびその施工方法に関する。
【背景技術】
【０００２】
建物屋根やベランダなどにおける、コンクリートや金属板などからなる躯体上には、例えば図５に示すように、表面が一方向に傾斜した断熱材５ａと平板状の断熱材５ｂを各種重ね合わせ、それらを複数、並列に敷き並べることで、一定方向に傾斜した被防水施工面Ｍを形成することがある。この被防水施工面Ｍの所要箇所にはアングル状、帯状、円盤状などの防水シート用接合板３が配置されて、固定具２１によって押え止められる。さらに被防水施工面Mには防水シート４が敷設され、防水シート用接合板３と防水シート４との当接部が溶剤溶着や熱融着によって接合される。
【０００３】
固定具２１は、頭部と軸部を有したネジや釘からなり、頭部が防水シート用接合板３の表面を押え止めるとともに、軸部が防水シート用接合板３と断熱材５を貫通して、躯体６にねじ込まれ、所定の深さでもって固着される。（特許文献１）
【０００４】
このような断熱防水施工構造においては、被防水施工面Ｍが傾斜したものとなっているため、それぞれの箇所に応じて、長さの異なった固定具２１（２１１、２１２）が使い分けられている。例えば、水下など断熱材の厚さの薄い箇所には短い固定具２１１、水上など断熱材の厚さの厚い箇所には長い固定具２１２などである。その種類は、形成される被防水施工面Ｍの傾斜角や面積などにもよるが、２〜１０種類ほどであるのが一般的である。
【０００５】
このような長さの異なる固定具２１の選定は、設計書の指示によってなされるが、その選定が間違いないかどうかは、図６に示すように、固定具２１を一旦防水シート用接合板３と断熱材５に貫通させて、その先端を躯体６面に突き当てた状態で、防水シート用接合板３の上に突出している固定具２１の長さＡを測って適正な長さであるかどうかを、つまりその長さＡが躯体への適正なねじ込み深さに相当する長さ以上あるかどうかを確認することで行っている。そして、間違いがなければ、引き続き固定具２１をねじ込んで、躯体６に固着させることとなる。
【特許文献１】特開平８−３３３８４９
【発明の開示】
【発明が解決しようとする課題】
【０００６】
しかしながら、このような固定具の長さを測る作業は煩雑であり、さらに本数が多くなれば、測定間違いも起こしやすいものであった。また、誤って指定長さより短いものを選定し、それをねじ込んだ場合には、ねじ込み深さが浅すぎることとなり、例えば上方に敷設された防水シートが、突風を受け、浮き上がり現象を起こしたなどの際に、固定具が防水シート用接合板とともに引き抜かれ、それにより漏水事故につながる恐れがあった。
【０００７】
そこで、この発明は、建物屋根やベランダなどにおける、コンクリートや金属板からなる躯体上に断熱材が配置されて一定方向に傾斜した面が形成された被防水施工面に対して使用される断熱防水施工用固定具およびその施工方法に関するものであって、断熱防水施工用固定具の選定間違いを減らすことができるとともに、防水施工効率を向上させることのできる断熱防水施工用固定具およびその施工方法を提供することを目的とする。
【課題を解決するための手段】
【０００８】
上記の課題に対して、発明者は、断熱防水施工用固定具において、軸部外周における頭部外縁から躯体へのねじ込み深さに相当する長さの位置に目印線を設けることによって、その固定具が施工時に選定間違いを減らすものとなり、かつ効率よく防水施工ができるものになることを見出した。すなわち、本発明は、断熱防水施工用固定具の軸部外周における頭部外縁から躯体へのねじ込み深さに相当する長さの位置に、目印線を設けたことを特徴とする。
【０００９】
また、本発明においては、断熱防水施工用固定具の目印線を凸状または凹状に形成したものであることが好ましい。
【００１０】
また、本発明においては、断熱防水施工用固定具の目印線が着色され、その色は断熱防水施工用固定具の長さによって異なるものとすることが好ましい。
【００１１】
本発明は、躯体上に断熱材を敷き並べ、一定方向に傾斜した被防水施工面を形成する工程と、被防水施工面の所要箇所に防水シート用接合板を配置し、軸部外周における頭部外縁から躯体へのねじ込み深さに相当する長さの位置に、目印線を設けた断熱防水施工用固定具を、前記防水シート用接合板および断熱材を貫通して、軸部の先端を躯体面に突き当てる工程と、前記目印線が断熱材面より上方にあることを視認した後、前記断熱防水施工用固定具を躯体にねじ込んで、前記防水シート用接合板を断熱材に押し止める工程と、被防水施工面に防水シートを敷設して、防水シートと前記防水シート用接合板との当接部を、溶剤溶着または熱融着により接合する工程と、を備えていることを特徴とする断熱防水施工方法を要旨とする。
【発明の効果】
【００１２】
本発明によれば、断熱防水施工用固定具の軸部外周における頭部外縁から躯体へのねじ込み深さに相当する位置に目印線を設けたため、断熱防水施工用固定具を、防水シート用接合板と断熱材を貫通し、その軸部の先端を躯体面に突き当てた状態で、目印線が断熱材面上にあることを視認するだけで、その断熱防水施工用固定具が適切なものであることを判定することができ、固定具の選定間違いを減らすことができる。
【００１３】
本発明によれば、断熱防水施工用固定具の目印線が軸部外周に対して凸状または凹状に形成されたものであるため、製作時において、施盤で軸部およびネジ山を切削加工する際、目印線も同時工程で切削加工することができ、低コストで、経済性に優れるといった効果がある。また、防水施工時においては、表面に溶着用の溶剤が付着した場合でも、線が消失してしまうことがなく、また埃や汚れが表面に付着した場合でも、拭き取ることで容易に視認性を確保でき、取り扱い性に優れたものとなる。
【００１４】
本発明によれば、断熱防水施工用固定具の目印線が着色され、その色は断熱防水施工用固定具の長さによって異なるものとしたため、施工作業者は、施工箇所に応じ固定具を選ぶに当たり、設計書に指示された通りの色の固定具を選定するだけでよいため、固定具の選定間違いを減らすことができるといった効果がある。
【００１５】
本発明によれば、軸部外周における頭部外縁から躯体へのねじ込み深さに相当する長さの位置に、目印線を設けた断熱防水施工用固定具を、軸部を断熱材に貫通して、先端を躯体面に突き当て、その目印線が断熱材面上にあることを視認した後、引き続き、固定具をねじ込むだけで固着作業を行うことができるため、作業効率がよく、防水施工性を向上させることができる。
【発明を実施するための最良の形態】
【００１６】
以下、添付図面に基づいて、詳細に説明する。
【００１７】
図１は、本発明にかかる断熱防水施工用固定具１、１１の断面図を示したものである。固定具１、１１は、頭部１ａ、１１ａと、先端部付近に螺旋状のネジ山１ｄ、１１ｄが設けられた軸部１ｂ、１１ｂとから構成されている。断熱防水施工用固定具１と断熱防水施工用固定具１１とは、頭部外縁１ｃ、１１ｃから軸部１ｂ、１１ｂ先端までの長さの点で異なっている。すなわち、短い方の断熱防水施工用固定具１は被防水施工面における水下などの断熱材の厚さの薄い箇所で使用されるものであり、一方、長い方の断熱防水施工用固定具１１は被防水施工面における水上などの断熱材の厚さの厚い箇所で使用されるものである。
【００１８】
その軸部１ｂ、１１ｂの外周における頭部外縁１ｃ、１１ｃから躯体へのねじ込み深さに相当する長さＬの位置には、凸状の目印線２、１２が設けられている。そして、この目印線２、１２は、それぞれに異なった色で着色が施されている。
【００１９】
頭部１ａ、１１ａは、頂面が平坦で、座面が円錐状となった皿ネジ形状のものである。本発明において、頭部の形状はこのような皿ネジ形状のものが代表的に採用されるが、これに制限されることなく、各種のものが適用できる。例えば、円盤状をした平ネジ形状、半球状をした丸ネジ形状のものが採用されてもよい。
【００２０】
軸部１ｂ、１１ｂについては、中央付近から先端方向にかけて、螺旋状のネジ山１ｄ、１１ｄが形成された形状となっている。本発明において軸部は、このようなネジ山の有無に制限はなく、例えば打ち込み用の釘に代表されるネジ山のないものであってもよい。
【００２１】
本発明にかかる断熱防水施工用固定具１、１１の材質は、鉄・ステンレス・黄銅、銅、またはそれらの合金が適したものとして採用されるが、その他に、合成樹脂や、セラミックなどが採用されてもよく、とくに材質に限定されるものではない。
【００２２】
本発明にかかる図１に示す目印線２ａ、１２ａは、軸部１ｂ、１１ｂ外周における頭部外縁１ｃ、１１ｃから躯体へのねじ込み深さに相当する長さＬの位置に、軸部の長さ方向に対して直交して周囲にわたり、凸状に形成されたものである。
【００２３】
これら目印線２ａ、１２ａにおいては、凸状に形成されたものを示したが、その形状は限定されず、例えば、図２（ａ）に示す目印線２ｂのように、凹状に形成されたものであってもよい。また、図２（ｂ）に示す目印線２ｃのように、凸状または凹状とせずに、塗料や着色テープなどの着色材により塗布または貼付されたものだけのものであってもよい。
【００２４】
なお、本発明においては、目印線は凸状または凹状に形成されることが好ましい。このような形状とすることで、製作時においては、ネジ山を形成する際など目印線も同時工程で切削加工することができるとともに、防水施工時においては、表面に砂塵、泥などの汚染材が付着した場合でも、拭き取ることで容易に視認性が確保できる。また、溶着用の溶剤が付着した場合でも、目印線が消失してしまうといったことがない。凸状または凹状の目印線については、視認性が確保できるほどであれば、その高さ、深さ、幅など寸法について制限はない。
【００２５】
また、本発明においては、目印線は着色され、その色は断熱防水施工用固定具の長さによってそれぞれ異なるものとすることが好ましい。こうすることで、施工作業者は、その色をみて、設計書に指示されたものを容易に選択することができ、固定具の選定間違いを減らすことができる。
【００２６】
また、目印線の形状については、図２（ｃ）の目印線２ｄに示すように、軸部に対して斜交した形状であってもよい。このようにすることにより、施工作業者は、その目印線の一部分をみて、ねじ込みの深さ程度を知ることができ、それにより、ねじ込み深さを調節することができる。
【００２７】
また、目印線２の本数については、１本だけでなく、例えば図２（ｄ）の目印線２ｅに示すように、複数としてもよい。例えば、目印線を３本、あるいは５本として、その中央の線を基準線として設定することで、効率よく、ねじ込み深さを調節することができる。
【００２８】
上述したように、目印線は軸部の外周に各種の態様で形成されることができるが、その目印線が設けられる位置は、軸部１ｂ、１１ｂの外周における頭部外縁１ｃ、１１ｃから躯体へのねじ込み深さに相当する長さＬの位置である。
【００２９】
ここで、本発明におけるねじ込み深さとは、断熱防水施工用固定具１、１１を躯体に適正に固着するための設計上、少なくとも必要とされるあるいは目安となる深さを指す。このようにねじ込み深さに相当する長さＬの位置に目印線を設定することで、施工作業者は、施工時に、断熱防水施工用固定具の先端を、断熱材を貫通し、躯体面に突き当てた後、その断熱材面上に目印線があることを視認するだけで、躯体へのねじ込み深さが適正であるかを判定することができる。
【００３０】
つぎに、本発明にかかる防水施工方法の一例について図３、図４を参照して、説明する。
【００３１】
まず、図３に示すように、略平坦なコンクリートからなる躯体６上に、一方向に傾斜を設けた傾斜断熱材５ａと平板状の板状断熱材５ｂを各種重ね合わせ、それらを並列に敷き並べ、断熱材５が一定方向に傾斜した被防水施工面Ｍを形成する。
【００３２】
ここで、躯体としては、コンクリート、軽量発泡コンクリート（ＡＬＣ）、ポーラスコンクリートなどが代表的なものとしてあげられるが、コンクリート系以外のものとして、金属屋根や瓦棒葺き屋根などの下地となる金属下地材などが適用されることもできる。
【００３３】
断熱材とは発泡ポリスチレン、発泡ポリエチレン、発泡フェノール樹脂など発泡合成樹脂などが代表的なものとして適用されるが、これについても材質にとくに制限されることはない。
【００３４】
つぎに、その被防水施工面Ｍにおける水下部Ｍａ、中央部Ｍｂ、水上部Ｍｃのそれぞれの箇所に表面に樹脂被覆がなされた樹脂被覆鋼板からなる円盤状の防水シート用接合板３を配置する。
【００３５】
次いで、水下部Ｍａに配置された防水シート用接合板３に対しては、長さの短い断熱防水施工用固定具１を選定し、一方、中央部Ｍｂ、および水上部Ｍｃに配置された防水シート用接合板３に対しては、長さの長い断熱防水施工用固定具１１を選定する。ここで断熱防水施工用固定具１、１１は、目印線２ａ、１２ａが凸状に形成され、その凸部には、それぞれに異なった色が塗り分けられたものである。こうすることで、施工箇所に応じて、設計書に指示された通りの色の固定具を選定するだけでよいため、固定具の選定間違いを減らすことができる。
【００３６】
つぎに、断熱防水施工用固定具１、１１を、断熱材５を貫通させて、その先端を躯体６面に突き当てた状態とする。そして、防水シート用接合板３上に突き出ている断熱防水施工用固定具１、１１の軸部１ｂ、１１ｂをみて  その外周に目印線２ａ、１２ａが視認できるか否かを確認する。目印線２ａ、１２ａが視認できれば、その断熱防水施工用固定具１、１１は、躯体への適正なねじ込み深さより深く沈み込むものとして、間違いなく選定されたものだと確認される。一方、目印線２ａ、１２ａが視認できずに、防水シート用接合板３側、あるいは断熱材５内に入り込んでいれば、躯体６へのねじ込み深さより浅く沈み込むものとして、適正に選定されていないものだと判定される。
【００３７】
こうして、断熱防水施工用固定具１、１１において、ねじ込み深さが適正と確認された後には、図４に示すように、それぞれの断熱防水施工用固定具１、１１をねじ込み、防水シート用接合板３を押え止める。そして、被防水施工面には、防水シート４を敷設して、防水シート用接合板３と防水シート４との当接部を溶剤溶着や熱融着により接合して、防水施工を完了する。
【００３８】
このように、上記の施工方法によれば、断熱材を貫通して、軸部の先端を躯体面に突き当てた後、そこに設けられた目印線が、断熱材面上に見えるか否かを視認した後、断熱防水施工用固定具を躯体へねじ込むだけでよいため、防水施工性がよく、しかも断熱防水施工用固定具の選定間違いを防止することができる。
【図面の簡単な説明】
【００３９】
【図１】本発明にかかる断熱防水施工用固定具を示す断面図である。
【図２】本発明にかかる断熱防水施工用固定具に設けられた目印線の別の態様を示す断面図である。
【図３】本発明にかかる断熱防水施工用固定具の躯体への固着方法を説明するための断面図である。
【図４】本発明にかかる断熱防水施工用固定具の躯体への固着方法を説明するための断面図である。
【図５】従来の固定具を用いてなされた断熱防水施工構造を示す斜視図である。
【図６】従来の固定具の選定方法を説明するための断面図である。
【符号の説明】
【００４０】
１  １１  断熱防水施工用固定具
１ａ  １１ａ  頭部
１ｂ  １１ｂ  軸部
１ｃ  １１ｃ  頭部外縁
１ｄ  １１ｄ  ネジ山
２  ２ａ  ２ｂ  ２ｃ  ２ｄ  ２ｅ  目印線  
１２  １２ａ  １２ｂ  １２ｃ  １２ｄ  １２ｅ  目印線
３  防水シート用接合板
４  防水シート
５  断熱材
５ａ  傾斜断熱材
５ｂ  板状断熱材
６  躯体
Ｍ  被防水施工面
Ｍａ  水下部
Ｍｂ  中央部
Ｍｃ  水上部
Ｌ  躯体へのねじ込み深さに相当する長さ
【図１】
0004702016.tif 000002
【図２】
0004702016.tif 000003
【図３】
0004702016.tif 000004
【図４】
0004702016.tif 000005
【図５】
0004702016.tif 000006
【図６】
0004702016.tif 000007